(57)【要約】この発明は、光ディスク用ハウジング、特にＣＤ用ハウジングに関する。このハウジングは、幅狭の側面に開口する開口部を除いてすべての側面が閉鎖されたケース部（２０）を備えている。この発明的ハウジングは、ケース部に対して押し入れ引き出し可能に構成されたドロワー部（２２）を備えている。ドロワー部は、押し入れられたときに、開口部（２６）を閉鎖するフロント部（３８）を備えている。ドロワーは必要的にトレー（３６）を備え、このトレーはＣＤ（６２）のための支持面を形成し、かつ、ＣＤのための支持部材（７２）が突き出ている。フロント部の背面の当該フロント部とトレーとの間に長めのポケット（５０）が形成されている。ポケットはフロント部のほぼ全長に渡って延び、トレーの下方からアクセス可能に構成されている。フロント部は、光学的に透明な材料により構成されている。【選択図】図１
2004507031.tif 000002
【特許請求の範囲】
【請求項１】
幅の狭い側面に沿って延びる開口部（２６）を除き周囲が閉鎖されたケース部（２０）と、
当該ケース内に取り外し可能に収納された可動ドロワー部（２２）と、
当該ドロワー部（２２）が閉鎖位置にあるときに当該開口部（２６）を閉鎖するために当該ドロワー部に設けたフロント部（３８）と、
当該ドロワー部（２２）が有するほぼ扁平なトレー（３６）と、
当該トレー（３６）が有するＣＤ（６２）を保持するための保持面及びＣＤ（６２）を保持するための保持突起（７２）と、を含む
ＣＤハウジングに代表される光ディスク用ハウジングであって、
当該フロント部背後の当該フロント部とトレー（３６）との間のフロント部（３８）ほぼ全域に渡って延びる長めのポケット（５０）が形成され、
当該ポケットが、当該トレー（３６）の底面側からアクセス可能に構成され、
当該フロント部（３８）が、光学的に透明な材料から構成されている
ことを特徴とする光ディスク用ハウジング。
【請求項２】
ストライプ紙箔に代表されるストライプ箔（６６）が前記ポケット（５０）内に挿入されている
ことを特徴とする請求項１記載の光ディスク用ハウジング。
【請求項３】
前記ストライプ箔（６６）が、シート（２４）の一部をなし、かつ、前記ポケット（５０）との境目で上方へ直角に折り曲げられ、かつ、底面をカバーし、背後の閉鎖パネル（４０）のところで支持面側に折り返され、ＣＤ（６２）が置かれている支持面をカバーするように構成されている
ことを特徴とする請求項２記載の光ディスク用ハウジング。
【請求項４】
支持面をカバーする部分のシート（２４）にはバイアスがかけられ、特に弾性的に元応力化されていることにより、ドロワー部（２２）がケース部（２０）から引き出されたときに当該シートの自由先端がＣＤ（６２）から上方に開くように構成されている
ことを特徴とする請求項３記載の光ディスク用ハウジング。
【請求項５】
前記フロント部（３８）が、前記フロント部（３８）の長さ方向に沿って伸びる棒軸を備えた拡大レンズからなる
ことを特徴とする請求項１記載の光ディスク用ハウジング。
【請求項６】
前記ケース部（２０）と前記ドロワー部（２２）が、前記開口部（２６）から当該ドロワー部（２２）が完全に抜け出ることを乗り越え可能に阻止する後退保持手段を備え、
当該後退保持手段が、特に、ドロワー部（２２）のトレー（３６）をＣＤ（６２）から離れるように僅かに下方に曲げるか、又は、当該トレーを傾斜位置にずらすことにより乗り越え可能に構成されている
ことを特徴とする請求項１記載の光ディスク用ハウジング。
【請求項７】
前記ケース部（２０）と前記ドロワー部（２２）とが、ドロワー部（２２）が確実にかつ明確に閉鎖されるように、閉鎖位置にあるドロワー部（２２）がケース部（２０）内に確実に位置させるためのフィット片を備えている
ことを特徴とする請求項１記載の光ディスク用ハウジング。
【請求項８】
前記ポケット（５０）が、前記フロント部（３８）の高さの半分以上の位置まで伸びている
ことを特徴とする請求項１記載の光ディスク用ハウジング。
【請求項９】
前記トレー（３６）と前記フロント部（３８）とが、ステム（４８）により接続され、
当該ステム（４８）が当該トレー（３６）に対して傾斜しており、特に、当該ステム（４８）とトレー（３６）とが互いに一体化している
ことを特徴とする請求項１記載の光ディスク用ハウジング。
【請求項１０】
請求項１の前段記載の光ディスク用ハウジングであって、
前記トレー（３６）が、前記フロント部（３８）を掴むことにより前記トレー（３６）がケース部（２０）に対して押し入れ引き出し可能な実用的な取扱いと使用できるように選択された材料剛性を備えており、
当該フロント部（３８）と平行に延びる折り目軸に沿って指の圧力で曲げ下げることが可能であり、ドロワー（２２）を部分的に引き出した際に保持面が数ｍｍの自由スペースを上に保持したＣＤ（６２）に対して有することによりＣＤ（６２）の取り出しを容易化する
ことを特徴とする光ディスク用ハウジング。
【発明の詳細な説明】
【０００１】
この発明は，ＣＤ等の光ディスク用のハウジングであって、一方に開口する開口部を除いてすべての側面が閉鎖されたケースを備えている。開口部は当該側面のうち幅の狭い側面に沿って延び、ハウジングの中には、取り外し自在の可動ドロワーが設けられている。可動ドロワーは、開口部の中に押し入れられたときに、当該開口部を閉鎖するフロント部と、１枚のＣＤを保持する表面領域（ｃａｒｒｙｉｎｇ　ｓｕｒｆａｃｅ　ａｒｅａ）有するトレーを備えている。トレーは、ほぼ平面状であって、突出してＣＤを保持するための保持部材を備えている。
【０００２】
上記のようなＣＤハウジングは、ドイツ連邦共和国特許出願ＤＥ１９８３４５４９Ａから公知である。上記出願は、標準的なＣＤホルダーとして一般的に知られているドロワーが挿入可能なケースを開示している。さらに扁平なＣＤホルダーが、特許出願ＤＥ４２２１１２７Ｃ２から公知である。
【０００３】
公知のＣＤハウジングの取り扱いは、使用中のドロワーが広げられるときの弾性力により容易になっている。しかしながら、ＣＤの取り出しや挿入は、むしろ複雑である。さらに、そのＣＤハウジングはいくぶん扱いづらく、ＣＤ自体の寸法に比べて相当に大きな外形寸法を有している。
【０００４】
光ディスクは、典型的なものは直径１２ｃｍ、厚みが１．２ｍｍであって、内側に穴があいておりディスク状のデータ媒体として理解されている。そのようなデータは、デジタル録音されており、レーザーにより読み取られるようになっている。光ディスクには、ＣＤのほか、超音波（Ｓｕｐｅｒ　Ａｕｄｉｏ）ＣＤ、ＤＶＤ、さらにＤＶＤ−ＲＯＭやＣＤ−ＲＯＭやＣＤ−ＲやＤＶＤ−Ｒのようなこれらに相当する特別にデザインされたもの等が含まれる。
【０００５】
本発明の目的は、取り扱いと適用をより便利で安全にすること、そして外形寸法を小さくしてより魅力的な概観にすることにより、上記の形式のＣＤハウジングをさらに発展させることにある。
【０００６】
上記したハウジングをベースとして、フロント部と、フロント部背後の当該フロント部とトレーとの間のフロント部全域に渡って延びる長めのポケットを備え、トレーの下側からアクセス可能であり、前方が投光性の材料により作られた収納ボックスによって上記目的が達成される。
【０００７】
このハウジングによれば、前方のラベル表示とその削除を極めて簡単に行うことができる。長めのポケットによれば、ストライプ箔を保持し、特にストライプ紙を保持し、ラベル紙が工場でアッセンブルされる際にアッセンブル機により自動的に挿入され得る。他方、最終消費者も、また後にラベルを入れたり出したりできる。所定寸法に形成されたものであれば、紙自体がポケット内に留まるので糊付けは不要である。
【０００８】
この方法により、バーコードを紙に適用することができ、このことは、仕分けと在庫管理を楽なものにする。一度に掴むためにＣＤケースを並べたり積み上げたりすることは、もはや不要であるが、並べておいてスキャナーにより登録することができる。これは、取引者だけでなく個人的ユーザー達にとっても有益である。これは、コンテンツのラベリングと保管が簡略化される。
【０００９】
自分でラベルするためのラベル用ストライプを、取引者及び／又は需要者に配布する事は有益かつ実用的である。ラベルの交換を便利に行うことができるので、何ら他の手段を必要としない。常に前側から見えるラベルは、便利であり容易に機能する。ストライプ箔は、前方を介して便利に読み取ることができる。
【００１０】
前方に拡大レンズを設けると、ラベルの読み取りが飛躍的に楽になる。棒状レンズは、前方の幅全体に行き渡る。棒状レンズは、拡大レンズとして機能してストライプ箔ラベルの読み取りを容易にする。これに加え、棒状レンズの丸みを帯びた形状が、ハウジングに審美的な外観を与える。
【００１１】
さらに、好ましい形態として、その一部がストライプ箔であるシートが、トレー上のＣＤをカバーするドロワーが有するトレーの下側パネル部としても機能する。シートの一部を構成するストライプ箔が、ポケットと下側エリアとの境目のところで直角に折り曲げられているとよい。下側エリアは（シートの背後部とともに）カバーされ、トレーの背後端のところでトレー上に折り返されて（シートの上側部分により）トレーとＣＤをカバーする。一部をストライプ箔とするシートには、シート全体の位置決めをする目的もある。シートは、特にドロワーの操作方向に位置決めされる。さらなる位置決め機能は、トレーの背後端、すなわち、トレーの閉鎖パネルのところで方向転換されたシートによっても達成される。ＣＤは、シートの上側部分により保護される。このシートがなければ、ドロワーを引き出すときにケース内側とＣＤとの間に相対移動が生じるであろう。挿入したシートによってシート外側と隣接するケース内壁との間に相対運動が生じる。これにより、ＣＤが保護されることになる。
【００１２】
これに加え、あらゆる形式の記録信号を記録するための広域エリアを提供する。ここで、従来のＣＤケースとして知られているものには、大量の情報、さらに画像を盛り込むことができる。集合的に最も重要な情報は、フロント部裏側のストライプ箔に載せた上方である。詳細情報は、ストライプ箔とは反対側のシートの上にあり、そのシートはかなりおおきな領域を提供する。
【００１３】
さらに好ましく、かつ、大きな発展を図るには、ケースとＣＤとの間のシートを弾性的にしておき、ドロワーが引き出されたときにＣＤから自動的に離れるように構成しておく。これにより、ＣＤへのアクセスが直接的にオープンとなる。
【００１４】
他の好ましい発明の発展において、それ自身はクレーム１の機能を有さず、１つの発明として、かつ、他のクレームとの付与された組み合わせによってクレームされている。この発明は、次の特徴を有する解決方法である。すなわち、トレーが、ケース外部において実用的に適用でき、かつ、前方における操作において引き出し押し込み可能な剛性を備えている。他方、指が加えた押圧力により、フロント部と平行な折り曲げ軸に沿って折り曲げ可能であり、かつ、部分的に引き出されたフロント部に近い部分のトレーとトレー上のＣＤとの間が少なくとも数ｍｍとなるような柔軟性を備えており、これによりＣＤの取り出しが可及的に容易化する。
【００１５】
この実施例は、実際の操作において大きな利点がある。ドロワー、特にそのドロワーのトレーは充分な柔軟性を有しており、便利に使用可能である。すなわち、フロント部が操作されたときに、引き出しと押し入れを簡単に行うことができる。これにより、ドロワーの機能が完全に発揮される。フロント部は、従来のドロワーのように操作用ハンドルである。トレーを下方に少し曲げると、挿入してあるＣＤからトレーがフロント部分において僅かに離れ、ＣＤが中央支持部から解放される。これにより、ＣＤが掴まれやすくなる。ＣＤの挿入も極めて簡単である。そのためには、ドロワーを完全に引き出しておく必要はなく、６０〜７０％の引き出しで充分である。上側シートの自力運動により、ドロワーが引き出されたときにフロント部からＣＤが解放される。これにより、ＣＤが見えるようになり、簡単に掴まれるようになる。このような簡単な取扱いは、公知のＣＤケースには見られない。
【００１６】
他のクレームと、発明についての非限定実施例に関する記載から生じる発明の利点と機能は、以下において詳細に説明されるであろう。これは、関連図面を参照することにより達成される。図面は、次のとおりである。
【００１７】
図１は、ＣＤが挿入されたＣＤハウジングの斜視図である。ドロワー部は完全に引き出されている。図２は、ＣＤを省略したＣＤハウジングの断面図である。断面は、ドロワー部の引き出し方向及びＣＤの軸に沿って決定される。図３は、図２に示すＣＤハウジングの左端部の部分拡大図である。図４は、図２に示すＣＤハウジングの右端部の部分拡大図である。図５は、ドロワー部の左後方角部の斜視図である。図６は、図２に示すようなハウジングのフロント部及びドロワ−部の背後部引き出しに抗するストッパーを通過する断面線に沿った断面図である。図７は、図６と同じ状態を示す図である。このとき、ドロワーのトレーが曲げられ、引き出しの障害を乗り越える状態を示す。図８は、図７と同じ状態を示す図である。引き出しの障害を乗り越えた状態を示す。図９は、閉鎖したＣＤハウジングの平面図である。図１０は、図２に示すＣＤハウジングのドロワー部及びＣＤの断面を含む部分側面図である。ドロワーが部分的に引き出されている。図１１は、折り曲げ技術によるＰＶＣ箔製ケース部を製造するための切片を示す図である。図１２は、図１１に示すケース部に合うドロワー部を折り曲げ技術によって製造するための切片を示す図である。図１３は、両実施例で使用するためのシート紙の切片を示す図である。
【００１８】
図１乃至１０は、第１の模範的な実施例を示し、図１１及び１２は、第２の模範的な実施例を示している。第１の実施例は、射出形成技術により製造され、全体を透明な合成樹脂材により構成されることが好ましい。第２の実施例は、１ｍｍ又は０．５ｍｍの薄いＰＶＣ箔から構成され、ＣＤケースが折り曲げ（ｆｏｌｄｉｎｇ）と糊付け（ｇｌｕｉｎｇ）により製造されている。ＰＶＣ箔は、ガラスのように透明である。
【００１９】
全図が示すように、ＣＤケースは、主として、ケース部２０とドロワー部２つの部分からなっている。さらに、図１３が示すように、何れの実施例にも使用可能なシート２４を備えている。
【００２０】
ケース部２０は、大部分が丸みのある角部とエッジを備えた中空かつ扁平な平行六面体であって、開口部２６を通してのみアクセス可能に構成されている。この開口部２６は、全体の内側開口（ｉｎｎｅｒ　ｏｐｅｎｉｎｇ）又は断面に対するオープンアクセスを提供する。内側断面の寸法は、高さ３ｍｍ、幅１２２ｍｍである。内側の中空スペースの奥行き寸法は、１２２ｍｍである。
【００２１】
ケース部２０は、上側パネル２８、下側パネル３０、背後パネル部３２及び同形２枚のパネル部３４からなり、一体化している。これらの部材２８乃至３４は、１ｍｍの厚さを持っている。これによって、外形寸法が、高さ５ｍｍ、幅１２４ｍｍ、奥行き１２４ｍｍとなる。図３において特に示すように、上側パネル部２８及び下側パネル部３０と背後パネル部３２との変わり目に丸みが形成されている。上述した変わり目部分ほど滑らかでないとしても、他のエッジ部分の全部は尖っていない。下側パネル部３０は、上側パネル部２８及び両パネル部３４を僅かに横切って突き出している。その突き出し寸法は、たとえば、０．５乃至１．０ｍｍとする。
【００２２】
ドロワー２２は、主としてトレー３６とフロント部３８とからなる。実施例が示すようにフロント部３８は、側方から見て半円よりも僅かに小さな円形状の部分を持つ拡大レンズを形成している。フロント部３８は、背後に平坦領域を持ち、この領域はケースの高さ寸法及び幅寸法とほぼ同じ高さ寸法及び幅寸法、すなわち、５ｍｍ×１２４ｍｍの寸法を有している。この拡大レンズは、レンズの長さ方向に祖０って丸みが付けられており、尖った部分は形成されていない。
【００２３】
トレー３６は、０．４ｍｍの厚さを持つガラスのように透明なプラスチック材により構成されている。このプラスチック材と同じ材料を、ケース部２０にも使用可能である。トレー部３６の背後部には、閉鎖パネル４０が接続されている。さらに、背後の両角部には、同形のガイド部材４２が設けられている。これらの部材は、図３に示されるようにケース部２０の内側寸法（ｉｎｎｅｒ　ｍｅａｓｕｒｅｍｅｎｔｓ）を持っている。閉鎖パネル４０は、その内側寸法に対して小さな寸法を持っている。ドロワー２２及び背後部における位置決めは、両ガイド部材４２によってなされる。両ガイド部材は、概ね三角柱状をなしている。最も鋭角な角部は尖っておらず、そこに当接エリア４４が形成されている。
【００２４】
両パネル部３４には、舌片４６を形成するためのＵ形状の切り込みが設けられている。舌片４６には、内側方向に僅かなバイアスがかけられている。すなわち、舌片４６は、中空の内部スペースに突き出ている。図６に示すように、ドロワーを引き出したときに、当接エリア４４が舌片の開放端に当接するようになっている。舌片４６は、内部スペースの高さ寸法の３分の１程度の寸法分だけ突き出している。舌片４６は、図７及び８と次の説明が示すように乗り越えることができる。図７に示すようにドロワー部２２が斜めに持ち上げれば、当接部材４４は舌片４６を乗り越えて移動する。ガイド部材４２の下部には、丸み又は斜面がもうけられている（図５参照）。図７に示す位置において、舌片４６の左上の角部は、傾斜又は丸みのエリアである。その傾斜又は丸みは、内方に突き出る舌片４６の傾斜又は丸みの寸法と一致するほど有効になる。したがって、図７に示す位置にあるドロワー部２２は、さらに引き出すことができ、舌片４６は障害物を構成しない。それどころか、図８に示す位置にある舌片４６は外方向に押される。この位置において、ドロワー部２２の背後部は、舌片４６を滑り抜け、これにより、ドロワ―２２を完全に抜き取ることができる。
【００２５】
舌片４６は、ドロワー２２が再挿入されるときの舌片４６は、外方向に押され、その再挿入を邪魔しない。つまり、再挿入の停止作用を生じさせない。間違って裏返しに再挿入したとしても、すなわち、図６及び８に示す状態と反対に底が上になり閉鎖パネル４０の開放端の端が下になったとしても、舌片４６は障害とならない。つまり、引出しのストッパーがない。この場合、上側パネル部２８にも舌片４６を形成しておくことができる。これらは、停止点の他の位置を確保するために、奥行きの中で置き換えられてもよい。
【００２６】
ドロワー２２の前方領域において、トレー３６が、トレー３６に対して直角をなすＬ字状のステム（ｓｔｅｍ）４８と一体に連結されている。ステム４８は、ケース２０の上部外側輪郭に沿って延び、フロント部３８を構成する拡大レンズと一体化している。これにより、ポケット５０が、フロント部３８の扁平背後エリアとステム４８間において開放している。ポケット５０は、深さ３ｍｍとなり、一枚又は折り曲げた２枚の紙の厚みと等しい幅寸法を有している。ステム４８とトレ３６の下方領域の境目には、丸みが付けられている。この境目からポケット５０にアクセス可能になっている。
【００２７】
ステム４８とトレー３６の境目領域のトレー３６の前方にはフィット片５２が設けられている。フィット片５２は、トレー３６とステム４８との境目を補強する。さらにフィット片５２は、上側パネル部２８の内面と接触する支持面５４を備えている。これに加え、下側パネル部３０の内面と接触する下方支持面５６を備えている。支持面５４と下方支持面５６との間の距離は、ほぼ３ｍｍであり、締め付け作用が生じるように設定されている。この締め付け作用は、ドロワー２２がケース２０内に保持されるときのものである。フィット片５２は、図４に示すように、閉鎖パネル４０に向って傾斜している。底、すなわち、下側パネル部３０、トレー３６の反対側に対して突き出るガイド部材４２及びフィット片５２により、トレー３６と下側パネル部３０の内側エリアとの間に扁平な内側エリア５８が開口する。扁平内側エリア５８は、ポケット５０に繋がっている。
【００２８】
さらに、背後、すなわち、背後パネル３２に対する前述したガイド部材４２の突き出しにより、閉鎖パネル４０に関連して、閉鎖パネル４０と背後パネル部３２との間にフリースペース６０が存在する。閉鎖パネル４０は、その上端、すなわち、開放端が上側パネル２８の内面と接触しない。それどころか、そこに隙間が開放されている。挿入されたＣＤ６２が上にあっても、空隙が残り、前方のステム４８に至るまでの全通路に広がっている。これらは、ポケット５０から始まり、内側エリア５８、フリースペース６０及び空隙に至る内側スペースと呼ばれる。すなわち、ＣＤ６２の上の部屋がシート２４を挿入して収納するために使用される。シート２４は、長方形であって、３本の折り線を持っている。第１折り線６４はストライプ箔６６と呼ばれる細いストライプを限定する。第１折り線６４と第２折り線６８との間に、下側パネル部３０の内面に対応するシート２４が形成される。シート２４の全面は、印刷面として使用可能である。第２折り目６８と第３折り目７０との間の細いストライプは、透明な背後パネル部３２を介して外から見ることができる。シート２４における他の部分において、第１折り線６８を超えたエリアは、ＣＤ６２の上に位置し、上側パネル部２８を介して外から見ることができる。ポケット５０は、ストライプ箔６６が僅かな締め付け作用とともに挿入可能な形状に形成されている。
【００２９】
トレー３６は、その中央部にＣＤ６２用のホルダー７２を備えている。ＣＤ６２は、ホルダー７２内に余裕を持って、しかし、固定されることなく特に締め付けられることなく載置される。それは、ホルダー７２の上から簡単に取り出すことができる。ホルダー７２は、ＣＤ中央の孔を軽く保持する円筒状の突起である。図２に示すように、ホルダー７２の高さ寸法は、シートのための充分なスペースができるように設定される。
【００３０】
図１０は、半開きを僅かに超えた状態のＣＤハウジングを示している。トレー３６は、一方でドロワーとしての機能を完全に発揮するために充分な剛性を持ち、他方で手で曲げるのに充分な柔軟性を持っている。典型的には、０．５ｍｍＰＶＣ箔の剛性、薄いカートン紙や１平方ｃｍ当たり４００ｇの丈夫な紙などと同等な剛性を備えている。したがって、トレー３６は、図示するように簡単に折り曲げることができる。トレーを曲げるには、指先で僅かな圧力を加えれば十分である。この態様によれば、ＣＤ６２の挿入と取り外しのためのアクセスを簡単に行うことができる。
【００３１】
ドロワー２２の側面には何ら補強を施してないため、ドロワーの柔軟性をほぼ完全に引き出すことができる。ドロワーの厚みは、トレー３６により構成されており、トレー３６はホルダー７２を除いて完全に扁平である。したがって、ＣＤを取り外すための下方への折り曲げに対する抵抗はほとんどない。
【００３２】
図１０を参照する。ＣＤ上面へ自由にアクセスできるように、ＣＤをカバーする部分のシート２４が、ドロワー２２を開いたときに僅か上方に弾性的に曲がるように、そして、挿入動作の邪魔にならないようにしてある。トレー３６は、上側パネル部２８の上側において、ＣＤ６２のための支持面を形成している。トレー３６におけるホルダー７２の脇を僅かに小寸法、すなわち、幅方向に凹部（ｅｘｅｍｐｔｉｏｎ）を設けるとよい。そこからＣＤが突き出すので、ＣＤが掴みやすくなるからである。図１２において、凹部を１点鎖線で示してある。
【００３３】
第２実施例を示す図１１及び１２には、ケース２０及びドロワー２２が示されている。これらは、単なる例である。それらはガラスのように透明な０．５ｍｍ厚の厚くて大変丈夫なＰＶＣ箔からできている。部材が互いにフィットするように、そして、シートが図１３に示すとおりとなるように可及的精密に寸法を設定する
【００３４】
図１１に示すケース部用の切片は、点線で示す折線に沿って上方向に９０度の角度で折り曲げられる。側方の両パネル部３４に沿って下側パネル３０の対応エリアに糊付けされる突出フラップがある。この方法により、狭い側方に沿って開口する開口部２６を有する六面体形状の本体が形成される。
【００３５】
図１２は、ドロワー２２用の切片を示している。最も大きなエリア、すなわち、最も大きなフィールドがトレー３６のために使用される。閉鎖パネルの上のエッジにおいて、折り線の反対側に閉鎖パネルが形成される。左右の側方の僅かに下側には、パネル部の舌片４６と相互に作用する抜け止め用の突起７４が設けられている。平坦な紙から折り起こされてなるステム４８が、下側のエッジのところにある。さらに、ステム４８及びトレー３６よりも僅かに幅広のフロント部３８がある。それは、ステム４８とフロント部３８との間の折れ線に沿って１８０度折り曲げられる。
【国際公開パンフレット】
2004507031.tif 000003
2004507031.tif 000004
2004507031.tif 000005
2004507031.tif 000006
2004507031.tif 000007
2004507031.tif 000008
2004507031.tif 000009
2004507031.tif 000010
2004507031.tif 000011
2004507031.tif 000012
2004507031.tif 000013
2004507031.tif 000014
2004507031.tif 000015
2004507031.tif 000016
2004507031.tif 000017
2004507031.tif 000018
2004507031.tif 000019
2004507031.tif 000020
2004507031.tif 000021
2004507031.tif 000022
2004507031.tif 000023
2004507031.tif 000024
2004507031.tif 000025
2004507031.tif 000026
【国際調査報告】
2004507031.tif 000027
2004507031.tif 000028
2004507031.tif 000029
2004507031.tif 000030